(57)【要約】【課題】デザイン性を保ちながらも、ゴト行為を防止する。【解決手段】本体枠３の外周部に、本体リブ３ａを立設する。前面扉５は、扉本体１７、装飾枠１８を備える。前面扉５の後面（装飾枠１８の後面）に、Ｌ字覆い板２０を取り付ける。Ｌ字覆い板２０は、外覆い部２０ａ、当接部２０ｂを備える。当接部２０ｂが、扉本体１７と装飾枠１８との間に挟持され、Ｌ字覆い板２０が保持される。外覆い部２０ａは、前面扉５を閉じたときに本体リブ３ａの外側の側面を覆う。外覆い部２０ａを、前面扉５に比べて外力により壊れやすい形状（厚み）で形成するとともに、パチンコ機２の前面側から後面側に向けて外側に広がるテーパ状に突出するように形成する。当接部２０ｂは、前面扉５を閉じたときに本体リブ３ａの前面に当接する。【選択図】図３
2008113731.tif 000002
【特許請求の範囲】
【請求項１】
遊技領域が形成された遊技盤を保持する本体枠と、
前記本体枠の前面側に開閉自在に設けられ、前記遊技盤を覆う前面扉と、
前記本体枠の外周部に設けられ、前記遊技盤の側面を囲うように前記前面扉に向かって突出し、前記前面扉の後面側外周と対向する本体リブと、を備えた遊技機において、
前記前面扉の側面から突出して設けられ、前記前面扉を閉じたときに前記本体リブの外側の側面を覆う外覆い部を備えたことを特徴とする遊技機。
【請求項２】
前記前面扉の後面から突出するとともに、前記外覆い部よりも内側に対向して設けられ、前記前面扉を閉じたときに前記本体リブの内側の側面を覆う内覆い部を備えたことを特徴とする請求項１記載の遊技機。
【請求項３】
前記前面扉の後面から突出し、前記本体リブの突出方向の前面に当接する当接部と、前記外覆い部と、が一体的に形成されてなる覆い部材を備え、
前記前面扉は、扉本体と、前記扉本体の前面側に設けられた装飾部と、を備え、
前記扉本体と前記装飾部との間に前記覆い部材を挟持して、前記覆い部材を保持することを特徴とする請求項１または２記載の遊技機。
【請求項４】
前記外覆い部と前記内覆い部との間に、前記前面扉の後面から突出して設けられ、前記本体リブの突出方向の前面に当接する当接部を備え、
前記外覆い部と前記内覆い部と前記当接部とを一体的に形成したことを特徴とする請求項２記載の遊技機。
【請求項５】
前記外覆い部を、前記前面扉に一体的に形成したことを特徴とする請求項１ないし４いずれか１つ記載の遊技機。
【請求項６】
前記外覆い部を、前記前面扉とは別個に、前記前面扉に交換自在に設けたことを特徴とする請求項１ないし４いずれか１つ記載の遊技機。
【請求項７】
前記外覆い部を、前記前面扉に比べて外力により壊れやすい材質及び／または形状で形成したことを特徴とする請求項１ないし６いずれか１つ記載の遊技機。
【請求項８】
前記外覆い部を、遊技機の前面側から後面側に向けて外側に広がるテーパ状に突出するように形成したことを特徴とする請求項１ないし７いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、本体枠に遊技盤が装着されており、この遊技盤には、各種入賞口や入賞球装置、複数の釘などが設けられた遊技領域があり、球発射装置で打ち出されたパチンコ球をこの遊技領域で流下させることによってゲームが行われる。遊技盤の遊技領域は、透明なガラスや透明な強化プラスチックプレート製の透明板で覆われ、遊技の過程を遊技者が透視できるようになっている。ガラスは前面扉で保持され、この前面扉は、本体枠に回動可能に組み付けられている。
【０００３】
本体枠の外側面と前面扉の外側面とが略同一面となるように、前面扉は本体枠に開閉自在に組み付けられている。本体枠には前面扉を施錠する施錠装置が設けられている。施錠装置で前面扉を施錠するとき（前面扉を閉じるとき）に、確実に施錠するために、施錠した前面扉の後面と本体枠の前面との間には隙間が生じていた。本体枠、前面扉及び施錠装置の全ての部材の寸法を厳しく管理した場合にも、上記隙間をなくすことは難しい。このため、前面扉と本体枠との隙間から針金等のゴト具を挿入し、挿入したゴト具を用いて、パチンコ球を入賞口に入賞させる等のゴト行為を行う者がおり、このゴト行為を防止するための技術が提案されている（例えば、特許文献１参照）。
【０００４】
しかしながら、特許文献１では、本体基部（本件の本体枠）とガラス扉（本件の前面扉）との隙間に異物を挿入した場合にも、異物が遊技領域内に入り込むことを防止しているが、外部から隙間が視認できるため、ゴト行為を行う者に狙われやすい。隙間からゴト具を挿入された場合には、ゴト具が遊技領域内に入り込むことはないが、ゴト具により本体基部及びガラス扉が傷ついてしまうため、問題となっていた。
【０００５】
そこで、前面扉を本体枠よりも一回り小さいサイズで形成し、本体枠で前面扉の側面を覆うことにより、前面扉と本体枠との隙間をなくし、隙間を外部から視認不能にすることが考えられている。
【特許文献１】特開２００５−１６８７１７号公報
【発明の開示】
【発明が解決しようとする課題】
【０００６】
しかしながら、前面扉を本体枠よりも一回り小さいサイズで形成し、本体枠で前面扉の側面を覆うパチンコ機では、前面側から本体枠の外周部が見えてしまうため、デザイン性が悪いという問題があり、さらには、前面扉を小さく形成するために、前面扉のデザインの自由度が低くなるという問題があった。
【０００７】
本発明は、上記課題を解決するためになされたものであり、デザイン性を保ちながらも、ゴト行為を防止することができる遊技機を提供することを目的とする。
【課題を解決するための手段】
【０００８】
上記目的を達成するために、本発明の遊技機は、遊技領域が形成された遊技盤を保持する本体枠と、前記本体枠の前面側に開閉自在に設けられ、前記遊技盤を覆う前面扉と、前記本体枠の外周部に設けられ、前記遊技盤の側面を囲うように前記前面扉に向かって突出し、前記前面扉の後面側外周と対向する本体リブと、を備えた遊技機において、前記前面扉の側面から突出して設けられ、前記前面扉を閉じたときに前記本体リブの外側の側面を覆う外覆い部を備えたことを特徴とする。なお、前記外覆い部は、前記本体リブの側面の少なくとも前側端部を覆うことが好ましい。
【０００９】
また、前記前面扉の後面から突出するとともに、前記外覆い部よりも内側に対向して設けられ、前記前面扉を閉じたときに前記本体リブの内側の側面を覆う内覆い部を備えることが好ましい。なお、前記内覆い部は、前記本体リブの側面の少なくとも前側端部を覆うことが好ましい。
【００１０】
さらに、前記前面扉の後面から突出し、前記本体リブの突出方向の前面に当接する当接部と、前記外覆い部と、が一体的に形成されてなる覆い部材を備え、前記前面扉は、扉本体と、前記扉本体の前面側に設けられた装飾部と、を備え、前記扉本体と前記装飾部との間に前記覆い部材を挟持して、前記覆い部材を保持することが好ましい。なお、前記外覆い部と前記当接部とを備えたものは、略Ｌ字状となる。
【００１１】
また、前記外覆い部と前記内覆い部との間に、前記前面扉の後面から突出して設けられ、前記本体リブの前面に当接する当接部を備え、前記外覆い部と前記内覆い部と前記当接部とを一体的に形成することが好ましい。なお、前記外覆い部と前記内覆い部と前記当接部とを備えたものは、略コ字状となる。
【００１２】
さらに、前記外覆い部を、前記前面扉に一体的に形成すること、または、前記外覆い部を、前記前面扉とは別個に、前記前面扉に交換自在に設けることが好ましい。
【００１３】
また、前記外覆い部を、前記前面扉に比べて外力により壊れやすい材質及び／または形状で形成することが好ましい。
【００１４】
さらに、前記外覆い部を、遊技機の前面側から後面側に向けて外側に広がるテーパ状に突出するように形成することが好ましい。
【発明の効果】
【００１５】
本発明の遊技機によれば、前面扉に設けられた外覆い部により、本体リブの外側の側面を覆うから、デザイン性を保ちながらも、本体リブと前面扉との間から遊技機内部にゴト具を挿入して行うゴト行為を防止することができる。さらに、外覆い部により、本体リブと前面扉との間を、外部から視認不能に覆うから、ゴト行為を行う者に狙われにくくなり、ゴト具の挿入により本体リブ及び前面扉が傷つくことを抑制することができる。
【００１６】
また、前面扉に設けられた内覆い部により、本体リブの外側の側面を覆うから、確実に、本体リブと前面扉との間から遊技機内部にゴト具を挿入して行うゴト行為を防止することができる。
【００１７】
さらに、当接部と外覆い部とが一体的に形成されてなる覆い部材を備えるから、より一層確実に、本体リブと前面扉との間から遊技機内部にゴト具を挿入して行うゴト行為を防止することができる。また、前面扉は、扉本体と装飾部との間に覆い部材を挟持して、覆い部材を保持するから、簡単な構成で覆い部材を保持することができる。
【００１８】
また、外覆い部と内覆い部と当接部とを一体的に形成したから、部品数の増加を抑制しながらも、確実に、本体リブと前面扉との間から遊技機内部にゴト具を挿入して行うゴト行為を防止することができる。
【００１９】
さらに、外覆い部を、前面扉に一体的に形成したから、部品を追加することなく、簡単な構成で確実にゴト行為を防止することができる。
【００２０】
また、外覆い部を、前面扉とは別個に、前面扉に交換自在に設けたから、遊技機の機種交換を行うとき、外覆い部が劣化したとき等に、外覆い部のみを交換することができる。
【発明を実施するための最良の形態】
【００２１】
図１及び図２に示すように、遊技機の１実施例であるパチンコ機２は、本体枠３の内部に遊技盤４が配設されており、本体枠３の前面には前面扉５が開閉自在に組み付けられている。前面扉５の下方には、打球供給用の供給皿６及びパチンコ球７の発射強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。
【００２２】
図柄可変表示装置９の周りには、始動入賞口１０、通常入賞口１１、アタッカ１２、アウト口１３、飾り１４が設けられている。また、遊技盤４の略中央には、センター役物１５が設けられており、センター役物１５に形成された開口を介して、図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０,１１及びアタッカ１２のいずれかに入るか、あるいはアウト口１３から回収される。なお、パチンコ機２の遊技領域４ａに設けられている複数の釘、風車などの構造体は公知であるので説明は省略する。
【００２３】
前面扉５は、本体枠３の前面に開閉自在に組み付けられている。本体枠３には、前面扉５を施錠する施錠装置（図示せず）が設けられている。施錠装置は、前面扉５を閉じた状態で施錠するとともに、鍵を使用した解錠動作を行うことにより前面扉５を解錠する。
【００２４】
本体枠３の内部には、パチンコ機２の駆動を制御する制御部１６が設けられている。制御部１６は、図柄可変表示装置９、スピーカ１９等の駆動を制御する。
【００２５】
図２及び図３に示すように、本体枠３の外周部には、遊技盤４の側面を囲うように前面扉５に向かって突出し、前面扉５の後面側外周（装飾枠１８の後面側外周）と対向する断面略コ字状の本体リブ３ａが立設されている。
【００２６】
前面扉５は、扉本体１７と、扉本体１７の前面側に取り付けられた装飾枠１８と、を備え、扉本体１７の内側には、可視可能なガラスが取り付けられている。扉本体１７と装飾枠１８とは、図示しないネジにより取り付けられている。扉本体１７の前面の右側端部には、Ｌ字覆い板（覆い部材）２０を挿入するための挿入凹部１７ａが形成されている。挿入凹部１７ａは、扉本体１７の上端から下端に亘って形成されている。装飾枠１８には、スピーカ１９（図１参照）が設けられている。
【００２７】
前面扉５は、閉じたときに、装飾枠１８の各側面（上側面、左側面、右側面）と、本体リブ３ａの外側の側面とが略同一面となるように、形成されるとともに本体枠３に組み付けられている。
【００２８】
前面扉５の後面（装飾枠１８の後面）の右側端部には、断面略Ｌ字状のＬ字覆い板（覆い部材）２０が取り付けられる。Ｌ字覆い板２０は、Ｌ字の短辺となる外覆い部２０ａと、Ｌ字の長辺となる当接部２０ｂと、から構成され、前面扉５の上下方向の長さと同一の長さで形成されている。
【００２９】
Ｌ字覆い板２０を、前面扉５に取り付けるときには、扉本体１７と装飾枠１８とを取り外し、そして、挿入凹部１７ａに当接部２０ｂが位置するように、扉本体１７と装飾枠１８とをネジにより取り付ける。当接部２０ｂは、その厚みが、扉本体１７の挿入凹部１７ａの前後方向の凹量よりも若干厚くなるように形成されている。これにより、当接部２０ｂは、扉本体１７と装飾枠１８との間に挟持され、Ｌ字覆い板２０が保持される（図３参照）。また、Ｌ字覆い板２０を交換するとき（例えば、パチンコ機２の機種交換を行うとき、Ｌ字覆い板２０が劣化したとき等）には、前面扉５を開放した状態で、扉本体１７と装飾枠１８とを取り外すことにより、交換することができる。
【００３０】
外覆い部２０ａは、Ｌ字覆い板２０を前面扉５に取り付けたときに、前面扉５の右側面（装飾枠１８の右側面）から突出し、前面扉５を閉じたときに本体リブ３ａの外側の側面の前側端部を覆うように形成されている。外覆い部２０ａは、前面扉５に比べて外力により壊れやすい形状（厚み）で形成され、さらに、パチンコ機２の前面側から後面側に向けて（図３における下方から上方に向けて）外側に広がるテーパ状に突出するように形成されている。なお、外覆い部２０ａの形状は適宜変更可能である。
【００３１】
当接部２０ｂは、Ｌ字覆い板２０を前面扉５に取り付けたときに、前面扉５の後面（装飾枠１８の後面）から突出し、前面扉５を閉じたときに本体リブ３ａの前面に当接するように形成されている。
【００３２】
上記のように構成されたパチンコ機２の作用について説明する。パチンコ機２で遊技を行う際に、不正に利益を得る、いわゆるゴト行為を行う者（以下、ゴト者と称する）は、ゴト行為として本体枠３と前面扉５との間からパチンコ機２内部にゴト具（例えば、針金等）を挿入させることがある。そして、パチンコ機２内部に挿入したゴト具により、制御部１６を不正に改造する、遊技盤４面上の釘を曲げる、パチンコ球７を不正に各入賞口１０，１１に入賞させる等のゴト行為を行う。
【００３３】
本発明を実施したパチンコ機２では、前面扉５を閉じたときには、Ｌ字覆い板２０の外覆い部２０ａにより、本体リブ３ａの外側の側面を覆っており、本体枠３と前面扉５との間からゴト具を挿入することができない。外覆い部２０ａは、前面扉５に比べて外力により壊れやすい形状（厚み）で形成されており、ゴト者が、本体枠３と前面扉５との間から、無理やりゴト具を挿入しようとした場合には、外覆い部２０ａが破損するため、パチンコ機２が設置される遊技場の管理者は、外覆い部２０ａの破損により、ゴト行為が行われたことを把握することができる。
【００３４】
このように、前面扉５を閉じたときには、Ｌ字覆い板２０の外覆い部２０ａにより、本体枠３（本体リブ３ａ）の外側の側面を覆うから、本体枠３と前面扉５との間からゴト具を挿入することができなくなり、本体枠３と前面扉５との間からパチンコ機２内部にゴト具を挿入して行うゴト行為を防止することができる。
【００３５】
また、当接部２０ｂを、本体リブ３ａの前面に当接させるから、本体枠３と前面扉５との隙間がなくなり、確実に、本体枠３と前面扉５との間からパチンコ機２内部にゴト具を挿入して行うゴト行為を防止することができる。
【００３６】
さらに、外覆い部２０ａにより、本体リブ３ａと前面扉５（装飾枠１８）との間を、外部から視認不能に覆うから、ゴト行為を行う者に狙われにくくなり、ゴト具の挿入により本体リブ３ａ及び前面扉５（装飾枠１８）が傷つくことを抑制することができる。
【００３７】
また、外覆い部２０ａを、パチンコ機２の前面側から後面側に向けて外側に広がるテーパ状に形成したから、デザイン性が悪化することがない。
【００３８】
さらに、Ｌ字覆い板２０を、前面扉５とは別個に、前面扉５に交換自在に設けたから、パチンコ機２の機種交換を行うとき、Ｌ字覆い板２０が劣化したとき等に、Ｌ字覆い板２０のみを交換することができる。
【００３９】
また、外覆い部２０ａを、前面扉５に比べて外力により壊れやすい形状（厚み）で形成したから、ゴト者が、本体枠３と前面扉５との間から、無理やりゴト具を挿入しようとした場合には、外覆い部２０ａが破損するため、外覆い部２０ａの破損により、ゴト行為が行われたことを把握することができる。
【００４０】
なお、上記実施形態では、Ｌ字覆い板２０を、前面扉５とは別個に、前面扉５に交換自在に設けたが、Ｌ字覆い板２０を、前面扉５に一体的に形成するようにしてもよい。
【００４１】
また、上記実施形態では、Ｌ字覆い板２０により、本体枠３（本体リブ３ａ）の右側面を覆うようにしたが、本体枠３の右側面に加えて上側面を、Ｌ字覆い板２０により覆うようにしてもよい。
【００４２】
さらに、上記実施形態では、外覆い部２０ａに加えて当接部２０ｂを設けたが、当接部２０ｂを設けずに、外覆い部２０ａのみを設けるようにしてもよい。この場合にも、本体枠３と前面扉５との間からパチンコ機２内部にゴト具を挿入して行うゴト行為を防止することができる。
【００４３】
また、上記実施形態では、遊技機としてパチンコ機２を例に挙げて説明したが、遊技媒体としてメダルを使用するスロットマシンや、遊技媒体としてパチンコ球を使用するスロットマシンなどの各種遊技機についても本発明は適用可能である。
【００４４】
図４及び図５に他の実施形態を示す。上記実施形態のものと同様の構成部材には同一の符号を付し、その詳細な説明を簡略化する。この実施形態では、前面扉５の後面（装飾枠１８の後面）の右側端部には、断面略コ字状のコ字覆い板３０が取り付けられる。
【００４５】
コ字覆い板３０は、外覆い部３０ａと、当接部３０ｂと、内覆い部３０ｃと、から構成され、前面扉５の上下方向の長さと同一の長さで形成されている。コ字覆い板３０は、図示しない両面テープにより、装飾枠１８の後面に交換自在に取り付けられる（図５参照）。なお、両面テープに代えて、ネジ等により、コ字覆い板３０を、装飾枠１８の後面に交換自在に取り付けるようにしてもよい。
【００４６】
外覆い部３０ａは、コ字覆い板３０を前面扉５に取り付けたときに、前面扉５の右側面（装飾枠１８の右側面）から突出し、前面扉５を閉じたときに本体リブ３ａの外側の側面を覆うように形成されている。外覆い部３０ａは、前面扉５に比べて外力により壊れやすい形状（厚み）で形成され、さらに、パチンコ機２の前面側から後面側に向けて外側に広がるテーパ状に突出するように形成されている。
【００４７】
当接部３０ｂは、コ字覆い板３０を前面扉５に取り付けたときに、前面扉５の後面（装飾枠１８の後面）から突出し、前面扉５を閉じたときに本体リブ３ａの前面に当接するように形成されている。なお、外覆い部３０ａ及び当接部３０ｂは、上記実施形態の外覆い部２０ａ及び当接部２０ｂと同様の形状で形成されており、外覆い部２０ａ及び当接部２０ｂと同様の作用効果を得ることができる。
【００４８】
内覆い部３０ｃは、コ字覆い板３０を前面扉５に取り付けたときに、前面扉５の後面（装飾枠１８の後面）から突出するとともに、外覆い部３０ａよりも内側に外覆い部３０ａに対向し、前面扉５を閉じたときに本体リブ３ａの内側の側面を覆うように形成されている。
【００４９】
このように、前面扉５の後面（装飾枠１８の後面）にコ字覆い板３０を取り付け、前面扉５を閉じたときには、内覆い部３０ｃにより、本体枠３（本体リブ３ａ）の内側の側面を覆うから、外覆い部３０ａ及び当接部３０ｂのみを備えたものよりも、より一層確実に、本体枠３と前面扉５との間からパチンコ機２内部にゴト具を挿入して行うゴト行為を防止することができる。
【００５０】
なお、上記実施形態では、コ字覆い板３０を、前面扉５とは別個に、前面扉５に交換自在に設けたが、コ字覆い板３０を、前面扉５に一体的に形成するようにしてもよい。
【００５１】
また、上記実施形態では、コ字覆い板３０により、本体枠３（本体リブ３ａ）の右側面を覆うようにしたが、本体枠３の右側面に加えて上側面を、コ字覆い板３０により覆うようにしてもよい。
【図面の簡単な説明】
【００５２】
【図１】本発明を実施したパチンコ機の外観を示す斜視図である。
【図２】Ｌ字覆い板を取り付ける前の前面扉を開放した状態のパチンコ機の内部を示す上面断面図である。
【図３】Ｌ字覆い板を取り付けた後の前面扉を開放した状態と閉じた状態とのパチンコ機の内部を示す上面断面図である。
【図４】前面扉にコ字覆い板を取り付ける実施形態のコ字覆い板を取り付ける前の前面扉を開放した状態のパチンコ機の内部を示す上面断面図である。
【図５】コ字覆い板を取り付けた後の前面扉を開放した状態と閉じた状態とのパチンコ機の内部を示す上面断面図である。
【符号の説明】
【００５３】
２  パチンコ機
３  本体枠
３ａ  本体リブ
４  遊技盤
５  前面扉
１７  扉本体
１７ａ  挿入凹部
１８  装飾枠（装飾部）
２０  Ｌ字覆い板（覆い部材）
２０ａ，３０ａ  外覆い部
２０ｂ，３０ｂ  当接部
３０  コ字覆い板
３０ｃ  内覆い部
【図１】
2008113731.tif 000003
【図２】
2008113731.tif 000004
【図３】
2008113731.tif 000005
【図４】
2008113731.tif 000006
【図５】
2008113731.tif 000007